(57)【特許請求の範囲】
【請求項１】
発信者番号通知サービスにより提供されるＩＤモデムダイヤルイン信号を非接触で傍受して検出した発呼者電話番号と、予め登録しておいた電話番号とを照合し、一致する場合には各種検知端末に回線を接続し、不一致の場合には反応しない制御手段と、
発呼者電話番号のＩＤモデムダイヤルイン信号の発信を要求する内装モデムとからなる発信者番号通知機能のない端末用のＩＤ照合切換器。
【請求項２】
発信者番号通知サービスにより提供されるＩＤモデムダイヤルイン信号を非接触で傍受して検出した発呼者電話番号と、予め登録しておいた電話番号とを照合し、一致する場合には各種検知端末に回線を接続し、不一致の場合には反応しない制御手段と、
発呼者電話番号のＩＤモデムダイヤルイン信号の発信を要求する内装モデムと、
内装モデムと回線との接続を開閉するモデムスイッチとを備え、
前記検知端末の他に、発信者番号通知機能付き端末を接続する場合には、モデムスイッチを開状態にし、当該端末の発信者番号通知機能を使用して発呼者電話番号のＩＤモデムダイヤルイン信号の発信を要求し、発信者番号通知機能のない端末を接続する場合には、モデムスイッチを閉状態にし、内装モデムから発呼者電話番号のＩＤモデムダイヤルイン信号の発信を要求するようにしたことを特徴とするＩＤ照合切換器。
【請求項３】
発信者番号通知サービスにより提供されるＩＤモデムダイヤルイン信号を非接触で傍受して検出した発呼者電話番号と、予め登録しておいた電話番号とを照合し、一致する場合には各種検知端末に回線を接続し、不一致の場合には反応しない制御手段と、
発呼者電話番号のＩＤモデムダイヤルイン信号の発信を要求する内装モデムと、
内装モデムと回線との接続を開閉するモデムスイッチと、
発信者番号通知機能付き端末を接続するｃ端子側と発信者番号通知機能のない端末を接続するｂ端子側を切り換える切換スイッチとからなり、
モデムスイッチを閉状態とすると切換スイッチがｂ端子側に閉状態になり、モデムスイッチを開状態とすると切換スイッチがｃ端子側に閉状態になるように、モデムスイッチと切換スイッチとを設置可能なＩＤ照合切換器。
【請求項４】
上記発呼者番号通知機能付端末の前段に上記スイッチ機構の「開」、「閉」と連動して「閉」、「開」するスイッチを備えた請求項２に記載のＩＤ照合切換器。
【請求項５】
上記発呼者番号通知機能の無い端末の前段に上記スイッチ機構の「開」、「閉」と連動して「閉」、「開」するスイッチを備えた請求項２に記載のＩＤ照合切換器。
【請求項６】
上記発呼者番号通知機能付端末および上記発呼者番号通知機能の無い端末の前段に上記スイッチ機構の「開」、「閉」と連動して「閉」、「開」するスイッチを備えた請求項３に記載のＩＤ照合切換器。
【発明の詳細な説明】
【０００１】
【発明の属する技術分野】
本発明は、電話会社と発信者番号通知サービス契約することにより提供されるＩＤモデムダイアルイン信号を利用して、各種検知端末を選択的に接続して検知情報を出力できるようにしたＩＤ照合切換器に関するものである。
【０００２】
【従来の技術】
従来、一般電話回線を利用して、老人や病人の脈拍、体温、血圧等の個人医療情報等を検知端末により検知し、一般の電話回線を利用して、その情報を病院等の情報センタに通知するシステムとして種々の装置が提案されている。
【０００３】
しかし、当該検知端末に、一般の電話回線を利用して外部からアクセスできるようにする場合には、秘密保持や安全上の問題から、特定の情報端末の電話回線を介してのアクセスに対してのみ、当該検知情報を提供できるようにしなければならない。
【０００４】
又、当該検知端末以外にも、留守番電話、ファクシミリ、パソコンのモデム等を１つの電話回線で共用している場合には、外部の端末より当該情報端末にアクセスする場合、当該検知端末を選択的に応答させる必要がある。
【０００５】
このため、外部のコンピュータ等の端末を操作することにより、電話回線を利用して着信側が無人でも予め設定されたプログラムに従って、これら複数の端末機の中から検知端末等の所望の端末を応答させるようにした交換機能付き制御端末機が種々提案されているが、これらは制御項目が多くなりシステム自体が複雑化して大規模になり、高価なものになるため、一般家庭や小規模経営の店舗等においては、その負担が大変であり、現実的ではなかった。
【０００６】
又、一般家庭、商店、小規模店舗等において、発呼者の確認やいたずら電話の防止等を目的として、電話会社と発信者番号通知サービス契約することにより提供されるＩＤモデムダイアルイン信号を利用して、発呼者電話番号を発信者番号通知機能付き端末（電話機）のディスプレイに表示させるようにしている。
【０００７】
【発明が解決しようとする課題】
本発明は、一般家庭等において、老人や病人の脈拍、体温、血圧等の個人医療情報等を検知端末により検知した情報に、外部電話回線からアクセスする場合において、留守番電話、ファクシミリ装置、パソコンのモデム等を１つの電話回線で共用している場合に、発信者番号通知サービスとして提供されるＩＤモデムダイアルイン信号を利用して、他の機器に影響を与えないでしかも安価で簡便に、特定の情報端末に対してのみ自動的に当該検知端末を選択的に応答させることができるＩＤ照合切換器を提供することを課題とする。
【０００８】
【課題を解決するための手段】
上記目的を達成するため、本発明は発信者番号通知サービスにより提供されるＩＤモデムダイヤルイン信号を非接触で傍受して検出した発呼者電話番号と、予め登録しておいた電話番号とを照合し、一致する場合には各種検知端末に回線を接続して検知情報を出力し、不一致の場合には反応しない制御手段を配してなり、更に、発呼者電話番号のＩＤモデムダイヤルイン信号の発信を要求する内装モデムを追加することによって、発信者番号通知機能のない端末用のＩＤ照合切換器として使用することができる。
【０００９】
この構成によれば、発信者番号通知サービスにより提供されるＩＤモデムダイヤルイン信号を簡単な装置で検出して、特定の情報端末に対してのみ自動的に当該検知端末を選択的に応答させることができる制御手段を配し、既存の発信者番号通知機能付き端末を使用することができるため、安価で簡便に、特定の情報端末に対してのみ自動的に当該検知端末を選択的に応答させることができるＩＤ照合切換器を提供することができる。
【００１１】
また、制御手段と内装モデムを配し、既存の発信者番号通知機能のない電話機等の端末を使用することができるため、安価で簡便に、特定の情報端末に対してのみ自動的に当該検知端末を選択的に応答させることができるＩＤ照合切換器を提供することができる。
【００１２】
更に、上記に加えて、内装モデムと回線との接続を開閉するモデムスイッチを備え、前記検知端末の他に、発信者番号通知機能付き端末を接続する場合には、モデムスイッチを開状態にし、当該端末の発信者番号通知機能を使用して発呼者電話番号のＩＤモデムダイヤルイン信号の発信を要求し、発信者番号通知機能のない端末を接続する場合には、モデムスイッチを閉状態にし、内装モデムから発呼者電話番号のＩＤモデムダイヤルイン信号の発信を要求する。
【００１３】
この構成によれば、制御手段、内装モデム、モデムスイッチを配して、モデムスイッチを切り換えることで、端末に発信者番号通知機能があるか否かにかかわらず使用することができ、安価で簡便に、特定の情報端末に対してのみ自動的に当該検知端末を選択的に応答させることができるＩＤ照合切換器を提供することができる。
【００１４】
また、上記モデムスイッチに加えて発信者番号通知機能付き端末を接続するｃ端子側と発信者番号通知機能のない端末を接続するＢ端末側との接続を切り換える切換スイッチを備え、上記モデムスイッチを閉状態とすると切換スイッチがｂ端子側に閉状態になり、モデムスイッチを開状態とすると切換スイッチがｃ端子側に閉状態になるように、モデムスイッチと切換スイッチとを設置可能な構成とする。
【００１５】
この構成によれば、設置時に発信者番号通知機能付き端末の有無によってモデムスイッチと切換スイッチを手動で切り換えて選択的に使用でき、発信者番号通知サービスにより提供されるＩＤモデムダイヤルイン信号を簡単な装置で検出して、特定の情報端末に対してのみ自動的に当該検知端末を選択的に応答させることができ、他の機器が発信者番号通知機能付機器であるか否かにかかわらず、発信者番号通知機能付き端末と内装モデムとが同時に作動したり、誤作動したりすることがなく、安価で簡単なＩＤ照合切換器を提供することができる。
【００１６】
【発明の実施の形態】
本発明の実施の形態を実施例に基づき図面を参照して説明する。
【００１７】
本発明に係るＩＤ照合切換器は、図１に示したように、制御手段１０、モデムスイッチ１２、切換スイッチ１３、内装モデム１４、スイッチ機構１５ａからなり、発信者番号通知サービスにより提供されるＩＤモデムダイヤルイン信号を検出して、予め登録しておいた電話番号と一致する場合にのみ、各種検知端末１に着信させて、当該検知情報のデータを送信するものである。
【００１８】
制御手段１０は、更にインターフェイス１０ａと中央制御部１０ｂとよりなり、インターフェイス１０ａは例えばＮＴＴ社と発信者番号通知サービス契約することにより提供されるＩＤモデムダイアルイン信号を磁性体リング１１により検出し、このモデムダイアルイン信号に含まれる発呼者の電話番号を認識する。更に、インターフェイス１０ａは上記発呼者の電話番号と予め登録して記憶させておいた特定情報端末の電話番号とを照合し、その結果、両者が一致する場合に中央制御部１０ｂがスイッチ機構１５ａを閉じ、回線を各種検知端末１に接続して検知情報を出力するようになっている。
【００１９】
また、上記発呼者の電話番号と予め登録して記憶させておいた特定情報端末の電話番号とが不一致の場合には、上記中央制御部１０ｂがは上記スイッチ機構１５ａは開状態を維持したままであり、切換スイッチ１３を介して他の端末２、３に接続するようになっている。
【００２０】
前記特定情報端末の電話番号は、各種検知端末１により検知した情報の提供を許可された電話番号であり、当該装置の所有者の集中管理のための情報センターの電話番号等を当該ＩＤ照合切換器に、必要に応じて入力し、予め記憶させておくものである。
【００２１】
モデムスイッチ１２は、回線と内装モデム１４側の端子との間に介在され、このモデムスイッチ１２のさらに端末側に切換スイッチ１３を接続し、切換スイッチ１３は、その出力側の接点をｂ端子２２及びｃ端子２３にそれぞれ接続する。ここにおいて、設置時にモデムスイッチ１２を閉状態とした場合は、切換スイッチ１３がｂ端子２２側に閉状態とする。また、モデムスイッチ１２を開状態にした場合は、切換スイッチ１３がｃ端子２３側に閉状態にする。
【００２２】
内装モデム１４は、発信者番号通知機能がない端末を当該ＩＤ照合切換器４に接続する場合に、外線からの着信があった場合、電話会社の発信者番号通知サービスとして提供されるＩＤモデムダイヤルイン信号の発信を要求し、応答するためのものである。
【００２３】
スイッチ機構１５ａは、回線とａ端子２１との間に接続し、前記制御手段１０の中央制御部１０ｂにより開閉制御されるもので、制御手段１０の制御により閉状態にされ、発呼者の端末（例えばコンピュータ）からの呼出を各種検知端末１に着信させて、当該検知情報を特定発呼者の端末に送信するようになっている。
【００２４】
次に、本発明に係るＩＤ照合切換器の使用方法について、電話会社との発信者番号通知サービス契約によりＩＤモデムダイアルイン信号が提供されることを前提として、発信者番号通知機能付き端末３を接続使用する場合で、図面に基づき説明する。
【００２５】
図１に示すように、接続端子２４に電話回線を接続し、ａ端子２１には各種検知端末１を接続し、ｃ端子２３には発信者番号通知機能付き端末３を接続し、ｂ端子２２は未接続状態とし、モデムスイッチ１２を開状態にし、切換スイッチ１３が発信者番号通知機能付き端末３側に閉状態となるよう設置する。
【００２６】
この状態で、図３に示すように、発呼者が外部より発呼することにより交換機から送られてくる起動信号３０は、回線、接続端子２４、切換スイッチ１３、ｃ端子２３を経由して、発信者番号通知機能付き端末３に着信し、受信したＩＤモデムダイアルイン信号３２から認識される電話番号を当該端末３のディスプレイに表示するとともに、当該発信者番号通知機能付き端末３が、発呼者電話番号の発信要求信号３１を交換機に送り、これに応答して交換機から送られてくるＩＤモデムダイヤルイン信号３２を受信し、ＩＤ信号受信完了信号３３を交換機に送る。
【００２７】
この間に、制御手段１０のインターフェイス１０ａにおいて、磁性体リング１１で非接触方法により当該ＩＤモデムダイヤルイン信号３２を傍受して、この信号から発呼者電話番号を検出し、この検出発呼者電話番号と予め登録して記憶させておいた特定情報端末の電話番号とを照合する。この結果、予め登録された電話番号と一致した場合、中央制御部１０ｂの制御により、スイッチ機構１５ａを作動させて閉状態として、各種検知端末１を回線に接続する。
【００２８】
その後、ＩＤ信号受信完了信号３３に応答して交換機からリング信号３４が送出されるが、このリング信号は、前記発信者番号通知機能付き端末３と、検知端末１の両方に送出されることになる。しかしながらここで、検知端末１のリング信号３４への応答時間を充分に早くしておくと、前記発信者番号通知機能付き端末３がほとんど鳴動することなく検知端末１が当該リング信号３４が着信した旨の応答信号３５を送り、これに応答した交換機から送られる発呼者からの応答３６を各種検知端末１に着信させ、当該検知端末１から各種検知情報に関するデータを当該発呼者端末に送信する。
【００２９】
又、当該発信者番号通知機能付き端末３にファクシミリ機能がある場合においても、当該ファクシミリモデムなどはリング回数を２回以上に設定しておけば、ファクシミリ受信と誤認して、当該端末３が誤作動することもない。
【００３０】
一方、前記番号照合の結果、予め登録された電話番号と一致しなかった場合、中央制御部１０ｂの制御により、スイッチ機構１５ａを開状態として各種検知端末１と接続させず、回線とループを構成した当該発信者番号通知機能付き端末３が、ＩＤ信号受信完了信号３３に応答して交換機から送られてくるリング信号３４を受信する。このリング信号３４に応答してユーザがオフフック状態すると、当該端末３は当該着信に対する応答信号３５を交換機に送り、これに応答した交換機から送られる発呼者からの応答３６を着信させることになる。
【００３１】
このとき、当該発信者番号通知機能付き端末３にファクシミリ機能がある場合には、当該ファクシミリモデムなどはリング回数を２回以上に設定しておけば、ファクシミリ受信と誤認して、当該端末３が誤作動することもない。
【００３２】
次に、本発明に係るＩＤ照合切換器の使用方法について、電話会社との発信者番号通知サービス契約によりＩＤモデムダイアルイン信号が提供されることを前提として、発信者番号通知機能のない端末２を接続使用する場合で、図面に基づき説明する。  図１に示すように、接続端子２４に電話回線を接続し、ａ端子２１に各種検知端末１を接続し、ｂ端子２２に発信者番号通知機能のない端末２、例えば、端末、ファクシミリ又はこれらの複合機、パソコン用モデム等を接続し、ｃ端子２３は未接続状態とし、モデムスイッチ１２を閉状態にし、切換スイッチ１３がｂ端子２２側すなわち発信者番号通知機能のない端末２側に閉状態となるように設置する。
【００３３】
この状態で、図３に示すように、発呼者が外部より発呼することにより交換機から送られてくる起動信号３０は、回線、接続端子２４、モデムスイッチ１２を経由して内装モデム１４に着信し、当該内装モデム１４が、発呼者電話番号の発信要求信号３１を交換機に送り、これに呼応して交換機から送られてくるＩＤモデムダイヤルイン信号３２を受信し、その後、ＩＤ信号受信完了信号３３を交換機に送る。
【００３４】
この間に、インターフェイス１０ａにおいて、磁性体リング１１で非接触方法により当該ＩＤモデムダイヤルイン信号３２を傍受して、この信号から発呼者電話番号を検出し、この検出発呼者電話番号と予め登録して記憶させておいた特定情報端末の電話番号とを照合する。
【００３５】
この結果、予め登録された電話番号と一致した場合、制御手段１０の中央制御部１０ｂの制御により、スイッチ機構１５ａを作動させて閉状態として、各種検知端末１を回線に接続する。その後、前記検知端末１が、ＩＤ信号受信完了信号３３に応答して交換機から送られてくるリング信号３４を検知して、当該着信に対する応答信号３５を送り、これに応答した交換機から送られる発呼者の応答３６を各種検知端末１に着信させ、当該検知端末１から各種検知情報に関するデータを当該発呼者側の端末に送信する。
【００３６】
このとき、リング信号３４は、前記発信者番号通知機能のない端末２にも達するが、検知端末１の応答を充分う早くすると、前記発信者番号通知機能のない端末２が殆ど鳴動しない間に検知端末１が上記応答信号３５を出すことになり受信者が通常の外線からの発呼と勘違いして当該端末の受話器を取ることがない。
【００３７】
又、当該発信者番号通知機能のない端末２にファクシミリ機能がある場合においても、当該ファクシミリモデムなどはリング回数を２回以上に設定しておけば、ファクシミリ受信と誤認して、当該端末３が誤作動することもない。
【００３８】
一方、前記番号照合の結果、予め登録された電話番号と一致しなかった場合、中央制御部１０ｂの制御により、スイッチ機構１５ａを開状態として各種検知端末１と回線とを接続させず、回線とループを構成した前記端末２が、ＩＤ信号受信完了信号３３に応答して交換機から送られてくるリング信号３４を受信する。このリング信号によるリンガーの鳴動により端末２のユーザがオフフック状態にすると応答信号３５が該端末２から交換機に送出され、これに応答した交換機から送られる発呼者の応答３６を着信させると共に、接続した発信者番号通知機能のない端末２の端末が鳴動し、外線よりの発呼が着信したことを知らせる。
【００３９】
前記実施例では、一般家庭等において、老人や病人の脈拍、体温、血圧等の個人医療情報等を検知端末により検知する例で説明したが、火災、ガス漏れ、侵入者の検知、冷暖房装置の異常等を各種検知端末により検知したり、病院等において、点滴終了告知、心電図の異常検出等を検知端末により検知し、当該ＩＤ照合切換器により検知情報を提供するようにしてもよく、これらの検知対象や検知端末は、特に限定するものではない。
【００４０】
前記実施例では、端末を接続する端子を３カ所設けて、ｂ端子２２とｃ端子２３への接続を使い分け、モデムスイッチ１２と切換スイッチ１３とを連動させて切り換えて使用する例で説明したが、発信者番号通知機能付き端末３と発信者番号通知機能のない端末２を接続する端子を一カ所（共用）とし、切換スイッチ１３を省略して、発信者番号通知機能付き端末３を接続した場合には、モデムスイッチ１２を開状態とし、発信者番号通知機能のない端末２を接続した場合には、モデムスイッチ１２を閉状態とするようにして接続する端末により使い分けるようにしてもよい。
【００４１】
前記実施例では、制御手段とスイッチ機構とを別々に設けた例で説明したが、着信した電話回線を接続する端末を、各種検知端末とするか、他の端末とするかを選択的に切り換えられればよく、当該スイッチ機構の働きを当該制御手段内に電子的に組み込み、当該スイッチ機構を省略したものとしてもよい。
【００４２】
前記実施例では、磁性体リングを使用した例で説明したが、非接触方法によりＩＤモデムダイヤルイン信号を傍受できればよく、当該信号傍受方法は、特に限定するものではない。
【００４３】
また、図１中、ホール素子３０は検知端末がオフフックした状態を検出し、該状態を中央制御部１０ｂに伝達し、該中央制御部１０ｂが、スイッチ機構１５ａをオンにする。これによって、検知端末側から情報センター側に発呼することが可能となる。
【００４４】
以上の説明では、回線と発呼者番号通知機能を備えた端末３あるいは、そのような機能を備えない端末２が回線に接続された状態で、検知端末１を作動させるようになっているが、図２に示すように、切り替えスイッチ１３の前段にスイッチ機構１５ａと連動するスイッチ１５ｂを挿入し、スイッチ機構１５ａが開いた状態（初期状態）ではスイッチ１５ｂ閉じた状態とし、スイッチ機構１５ａが閉じた状態すなわち、検知端末１が回線と接続された状態になったときには、上記スイッチ１５ｂを開いた状態となる構成を採用してもよい。
【００４５】
上記ＩＤ信号受信完了信号３３とは、上記交換機と端末との間に形成されたループが切断されることを意味する。従って、上記構成で上記スイッチ機構１５ａが閉じてスイッチ１５ｂが開くと交換機は上記上記ＩＤ信号受信完了信号３３を検出したと同等の動作をして、リング信号を送出する。そこで、ＩＤモデムダイヤルイン信号に含まれる発呼者番号がインターフフェイス１０ａに設定された値と一致するときには、次のステップではスイッチ１５ｂが開き、リング信号は検知端末１のみに入力され、端末２または３に一切入力されることはなく、ユーザが誤ってオフフック状態にする危険性はないことになる。
【００４６】
【発明の効果】
以上の説明から明らかなように本発明に係るＩＤ照合切換器は、以下に列挙する実用上の様々の優れた効果を有する。
【００４７】
本発明に係るＩＤ照合切換器は、電話会社の発信者番号通知サービスにより提供されるＩＤモデムダイヤルイン信号を非接触により検出して当該電話番号を認識する制御手段を配し、既存の発信者番号通知機能付き端末を接続使用することができるため、又、前記制御手段と内装モデムを配し、既存の発信者番号通知機能のない端末等の端末を接続使用することができるため、共に、一般家庭等において、各種検知端末により検出した情報に外部電話回線からアクセスする場合に、留守番電話、ファクシミリ装置、パソコンのモデム等を１つの電話回線で共用している場合でも、安価で簡便に、特定の情報端末に対してのみ自動的に当該検知端末を選択的に応答させることができる。
【００４８】
本発明に係るＩＤ照合切換器は、前記制御手段、内装モデム、モデムスイッチを配して、モデムスイッチを切り換えることで、端末に発信者番号通知機能があるか否かにかかわらず使用することができ、安価で簡便なものとすることができる。
【００４９】
本発明に係るＩＤ照合切換器は、前記制御手段、内装モデム、モデムスイッチ及び切換スイッチを配して、モデムスイッチ及び切換スイッチを連動させて切り換えることで、端末に発信者番号通知機能があるか否かにかかわらず使用することができ、一般家庭等において、各種検知端末により検出した情報に外部電話回線からアクセスする場合に、留守番電話、ファクシミリ装置、パソコンのモデム等を１つの電話回線で共用している場合でも、安価で簡便に、特定の情報端末に対してのみ自動的に当該検知端末を選択的に応答させることができる。
【図面の簡単な説明】
【図１】本発明の実施例に係るブロック図である。
【図２】本発明の他の実施例に係るブロック図である。
【図３】本発明の動作例を示す図である。
【符号の説明】
１              検知端末
２              発信者番号通知機能のない端末
３              発信者番号通知機能付き端末
４              ＩＤ照合切換器
１０            制御手段
１１            磁性体リング
１２            モデムスイッチ
１３            切換スイッチ
１４            内装モデム
１５ａ            スイッチ機構
１５ｂ          スイッチ
２１            ａ端子
２２            ｂ端子
２３            ｃ端子
２４            接続端子
【図１】
0004212728.tif 000002
【図２】
0004212728.tif 000003
【図３】
0004212728.tif 000004